(57)【要約】【課題】  プレゼン・データの使い勝手を向上させる。【解決手段】  与えられる記録指示に従って、画像処理部で生成されるプレゼン画像データを取得するともに音声入力部で生成されるプレゼン音声データを取得する。取得した前記プレゼン画像データを含むプレゼン画像データ・ファイルおよび前記プレゼン音声データを含むプレゼン音声データ・ファイルを生成するとともに、前記プレゼン画像データ・ファイルおよび前記プレゼン音声データ・ファイルの関連付けを記述した関連付けデータを生成する。生成した前記プレゼン画像データ・ファイル、前記プレゼン音声データ・ファイル、および、前記関連付けデータを、前記プレゼン・データとしてプレゼン・データ記憶部に記憶する。【選択図】        図３
2005284196.tif 000002
【特許請求の範囲】
【請求項１】
画像を投写するプロジェクタであって、
前記画像を投写するために、供給される画像データを処理する画像処理部と、
検知した音声に対応する音声データを生成する音声入力部と、
プレゼン・データ記憶部と、
プレゼン・データを前記プレゼン・データ記憶部に記憶させるプレゼン記録部と、を備え、
前記プレゼン記録部は、
与えられる記録指示に従って、前記画像処理部で生成されるプレゼン画像データを取得するともに前記音声入力部で生成されるプレゼン音声データを取得し、
取得した前記プレゼン画像データを含むプレゼン画像データ・ファイルおよび前記プレゼン音声データを含むプレゼン音声データ・ファイルを生成するとともに、前記プレゼン画像データ・ファイルおよび前記プレゼン音声データ・ファイルの関連付けを記述した関連付けデータを生成し、
生成した前記プレゼン画像データ・ファイル、前記プレゼン音声データ・ファイル、および、前記関連付けデータを、前記プレゼン・データとして前記プレゼン・データ記憶部に記憶する、
ことを特徴とするプロジェクタ。
【請求項２】
請求項１記載のプロジェクタにおいて、
前記音声データの取得は、前記記録指示として、前記供給される画像データの表す画像の表示の指示が与えられてから前記画像の表示の終了の指示が与えられるまでの期間において実行される、
ことを特徴とするプロジェクタ。
【請求項３】
請求項１または請求項２記載のプロジェクタであって、さらに、
供給される音声データの表す音声を出力する音声出力部と、
プレゼン再生部と、を備え、
前記プレゼン再生部は、
与えられる再生指示に従って、前記再生指示に対応して選択される前記プレゼン画像データ・ファイルに含まれている前記プレゼン画像データを読み出して、前記画像処理部に供給するとともに、前記関連付けデータを参照することにより、前記プレゼン画像データ・ファイルに関連付けられた前記プレゼン音声データ・ファイルに含まれている前記プレゼン音声データを読み出して、前記音声出力部に供給し、
前記プレゼン画像データの表す画像を表示させるとともに、表示させた前記画像に対応する音声を再生する、
ことを特徴とするプロジェクタ。
【請求項４】
請求項１ないし請求項３のいずれかに記載のプロジェクタであって、さらに、
ネットワークを介して配信データ・ファイルを配信するプレゼン配信部、を備え、
前記プレゼン配信部は、
前記ネットワークを介して供給される配信要求に従って、前記プレゼン・データ記憶部に記憶されている前記プレゼン・データのうち、前記配信要求に対応する前記プレゼン画像データ・ファイルと、前記プレゼン音声データ・ファイルと、前記関連付けデータと、をまとめて、前記配信データ・ファイルを生成し、
生成した前記配信データ・ファイルを配信する、
ことを特徴とするプロジェクタ。
【請求項５】
供給される画像データを処理する画像処理部と、検知した音声に対応する音声データを生成する音声入力部と、を有するプロジェクタにおいて、プレゼン・データを生成する方法であって、
与えられる記録指示に従って、前記画像処理部で生成されるプレゼン画像データを取得するともに前記音声入力部で生成されるプレゼン音声データを取得し、
前記プレゼン・データとして、取得した前記プレゼン画像データを含むプレゼン画像データ・ファイルおよび前記プレゼン音声データを含むプレゼン音声データ・ファイルを生成するとともに、前記プレゼン画像データ・ファイルおよび前記プレゼン音声データ・ファイルの関連付けを記述した関連付けデータを生成する、
プレゼン・データ生成方法。
【発明の詳細な説明】
【技術分野】
【０００１】
本発明は、プロジェクタを使用したプレゼンテーション（以下、単に「プレゼン」と略す場合もある。）において、ある画像が表示されている際に、この表示画像に応じてプレゼンタが話した内容を音声データとして取得するとともに、その表示画像を表す画像データを取得し、取得した音声データと画像データとを関連付けて保存することができるプロジェクタに関する。また、保存した画像データの表す画像を表示するとともに、表示した画像を表す画像データと関連付けられた音声データの表す音声を再生することができるプロジェクタに関する。さらに、保存した画像データおよび音声データを、プレゼンの参加者が利用するコンピュータに、ネットワークを介して配信することができるプロジェクタに関する。
【背景技術】
【０００２】
教育やビジネスの現場で、画像を拡大投写可能なプロジェクタを用いたプレゼンテーションが広く行われている。
【０００３】
通常、プレゼンテーションは、あらかじめ指定された時と場所で行われるため、そのプレゼンテーションに参加できなかった人は、そのプレゼンテーションの内容を知ることができないことになる。
【０００４】
そこで、実施されたプレゼンテーションの様子をビデオカメラで記録し、記録した映像データおよび音声データを電子ファイル化してコンピュータの記録媒体に保存し、保存された電子ファイルに含まれている映像データを表示するとともに音声データの表す音声を再生するシステムが考えられている（例えば、特許文献１参照。）。
【０００５】
【特許文献１】特開平６−９５６２９号公報
【発明の開示】
【発明が解決しようとする課題】
【０００６】
しかし、上記システムでは、実施されたプレゼンテーションの全体を１つの動画として記録し、記録した動画データを電子ファイル化するため、この電子ファイル化したデータ（以下、「プレゼン・データ」とも呼ぶ。）を利用する上で種々の問題がある。例えば、ある静止画像を表示させ、これに対する説明が行われた場合に、説明が行われている間音声の録音に合わせて同じ静止画像が連続して録画されるとことになるため、説明が開始された時点を動画データの中から判断して特定することは容易ではない。また、ある画像を表示させて行った説明部分の画像データおよび音声データのみを抽出して利用することも容易ではない。すなわち、従来のシステムでは、保存したプレゼン・データの使い勝手が悪いという問題があった。
【０００７】
従って、本発明の目的は、上記した従来技術の問題点を解決し、保存したプレゼン・データの使い勝手を向上させることが可能な技術を提供することにある。
【課題を解決するための手段】
【０００８】
上記した課題の少なくとも一部を解決するために、本発明のプロジェクタは、
画像を投写するプロジェクタであって、
前記画像を投写するために、供給される画像データを処理する画像処理部と、
検知した音声に対応する音声データを生成する音声入力部と、
プレゼン・データ記憶部と、
プレゼン・データを前記プレゼン・データ記憶部に記憶させるプレゼン記録部と、を備え、
前記プレゼン記録部は、
与えられる記録指示に従って、前記画像処理部で生成されるプレゼン画像データを取得するともに前記音声入力部で生成されるプレゼン音声データを取得し、
取得した前記プレゼン画像データを含むプレゼン画像データ・ファイルおよび前記プレゼン音声データを含むプレゼン音声データ・ファイルを生成するとともに、前記プレゼン画像データ・ファイルおよび前記プレゼン音声データ・ファイルの関連付けを記述した関連付けデータを生成し、
生成した前記プレゼン画像データ・ファイル、前記プレゼン音声データ・ファイル、および、前記関連付けデータを、前記プレゼン・データとして前記プレゼン・データ記憶部に記憶する、
ことを特徴とする。
【０００９】
上記発明のプロジェクタでは、生成されるプレゼン画像データ・ファイルとプレゼン音声データ・ファイルとを、関連付けデータによって関連付けて、プレゼン・データとしてプレゼン・データ記憶部に記憶することができる。これにより、従来に比べてプレゼン・データの使い勝手を向上させることができる。
【００１０】
なお、前記音声データの取得は、前記記録指示として、前記供給される画像データの表す画像の表示の指示が与えられてから前記画像の表示の終了の指示が与えられるまでの期間において実行されることが好ましい。
【００１１】
こうすれば、表示されている画像に関連して行われるプレゼンタの説明の音声を表す音声データを容易に取得することができる。
【００１２】
ここで、上記プロジェクタは、さらに、
供給される音声データの表す音声を出力する音声出力部と、
プレゼン再生部と、を備え、
前記プレゼン再生部は、
与えられる再生指示に従って、前記再生指示に対応して選択される前記プレゼン画像データ・ファイルに含まれている前記プレゼン画像データを読み出して、前記画像処理部に供給するとともに、前記関連付けデータを参照することにより、前記プレゼン画像データ・ファイルに関連付けられた前記プレゼン音声データ・ファイルに含まれている前記プレゼン音声データを読み出して、前記音声出力部に供給し、
前記プレゼン画像データの表す画像を表示させるとともに、表示させた前記画像に対応する音声を再生するようにしてもよい。
【００１３】
これにより、プレゼン・データとして記憶されているプレゼン画像データの表す画像を表示させるとともに、表示させた画像に対応する音声を再生することができる。
【００１４】
また、上記プロジェクタは、さらに、
ネットワークを介して配信データを配信するプレゼン配信部、を備え、
前記プレゼン配信部は、
前記ネットワークを介して供給される配信要求に従って、前記プレゼン・データ記憶部に記憶されている前記プレゼン・データのうち、前記配信要求に対応する前記プレゼン画像データと、前記プレゼン音声データと、前記関連付けデータとをまとめた前記配信データを生成し、
生成した前記配信データを配信するようにしてもよい。
【００１５】
こうすれば、プレゼン・データ記憶部に記憶されたプレゼン・データを、配信要求に従って容易に配信することができる。
【００１６】
なお、本発明は、上記したプロジェクタの態様に限ることなく、このプロジェクタを用いたプレゼンテーション・システムの態様で実現することも可能である。また、プレゼン・データ生成方法、プレゼン・データ記録方法などの態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【発明を実施するための最良の形態】
【００１７】
以下、本発明の実施の形態を実施例に基づいて以下の順序で説明する。
Ａ．プレゼンテーション・システムの構成：
Ｂ．プロジェクタの構成：
Ｃ．プレゼン記録動作：
Ｄ．プレゼン再生動作：
Ｅ．プレゼン配信動作：
Ｆ．効果：
【００１８】
Ａ．プレゼンテーション・システムの構成：
図１は本発明の一実施例としてのプロジェクタを用いたプレゼンテーション・システムの概要を示す構成図である。本実施例のプレゼンテーション・システム１０は、図１に示すように、画像供給装置であるノート型ＰＣ１００と、ＰＣ１００から供給される画像を投写するためのプロジェクタ２００と、を備えている。また、プロジェクタ２００は、ネットワーク４００に接続可能であり、このネットワーク４００を介して複数台のＰＣ３０１，３０２・・・３０ｎに接続されている。
【００１９】
プロジェクタ２００は、入力装置としてリモートコントローラ（以下、「リモコン」と略す。）２０１を備えている。プレゼンテーションの実行者（プレゼンタ）は、このリモコン２０１から種々のコマンドを入力してプロジェクタ２００の動作を制御することができる。また、リモコン２０１はＰＣ１００の入力装置としても機能し、プレゼンタはこのリモコン２０１から種々のコマンドを入力してＰＣ１００の動作を制御することができる。
【００２０】
プレゼンタが、リモコン２０１をＰＣ１００のマウスとして利用して、プレゼンテーション用のアプリケーション・プログラム、例えば、パワーポイント（マイクロソフト社の商標）の実行ファイルを選択して実行させると、これに応じた画像の表示が開始される。そして、プレゼンタがリモコン２０１を用いて、プレゼンテーションで利用するのための画像の表示を順に指示すると、ＰＣ１００の表示画面には指示された画像の表示が順に実行される。このとき、ＰＣ１００の表示画面に表示されている画像の画像データが、プロジェクタ２００にも供給されて、プロジェクタ２００により投写画面ＳＣに同じ画像が順に投写される。こうして、プレゼンタは、自分の指示に従って順に表示される画像を利用して、プレゼンテーションを進めることができる。
【００２１】
また、プロジェクタ２００は、後述するように、プレゼンテーションにおけるプレゼンタの音声（以下、「プレゼン音声」とも呼ぶ。）を、そのとき表示していた画像（以下、「プレゼン画像」とも呼ぶ。）とともに記録し、記録したプレゼン音声の音声データ（以下、「プレゼン音声データ」とも呼ぶ。）およびプレゼン画像の画像データ（以下、「プレゼン画像データ」とも呼ぶ。）をプレゼンテーションに関する資料（以下、「プレゼン資料」とも呼ぶ。）として保存することができる。
【００２２】
さらに、プロジェクタ２００は、後述するように、記録したプレゼン画像を表示させるとともに、このプレゼン画像に対応して記録したプレゼン音声を再生することができる。
【００２３】
さらに、また、プロジェクタ２００は、後述するように、保存したプレゼン資料の全部または一部を、ネットワーク４００を介してＰＣ３０１，３０２・・・３０ｎに配信することができる。
【００２４】
Ｂ．プロジェクタの構成：
図２は図１のプロジェクタ２００の概略構成を示すブロック図である。
【００２５】
プロジェクタ２００は、ＣＰＵ２１０と、ＲＯＭ２４０と、ＲＡＭ２５０と、プレゼン・データ記憶部２６０と、ネットワークインタフェース部２９０と、画像処理部２２０と、投写部２３０と、音声入／出力部２８０と、これら各要素を接続するバス２１８と、を備えている。
【００２６】
このうち、ＲＯＭ２４０には、プレゼン記録部２４２、プレゼン再生部２４４、プレゼン配信部２４６などの各種コンピュータプログラムが格納されている。コンピュータプログラムの機能を実現する時には、ＲＯＭ２４０に格納されたコンピュータプログラムが、直接またはＲＡＭ２５０に転送された後に、マイクロプロセッサであるＣＰＵ２１０によって実行される。
【００２７】
なお、各種コンピュータプログラムは、コンピュータ読み取り可能な記録媒体に記録された形態で提供される。プロジェクタ２００は、その記録媒体からコンピュータプログラムを読み取って、ＲＯＭ２４０に格納される。あるいは、ネットワーク４００などを介してプロジェクタ２００にコンピュータプログラムを供給するようにしてもよい。
【００２８】
なお、この発明における「記録媒体」としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用することができる。
【００２９】
画像処理部２２０は、ＰＣ１００から画像入力端子２２１を介して入力される画像データを処理し、投写部２３０に入力可能な画像データを生成する。
【００３０】
投写部２３０は、光源ランプや液晶パネルや投写光学系などを備えており、画像処理部２２０から入力された画像データの表す画像を投写する。
【００３１】
入／出力インタフェース部２７０は、リモコン２０１から発信された赤外光による制御信号を受信部２７２を介して受信し、受信した制御信号の内容に応じてプロジェクタ２００の動作やＰＣ１００の動作を制御する。ＰＣ１００の動作を制御する場合、入／出力インタフェース部２７０は、制御内容に応じた制御信号を出力制御端子２７１を介してＰＣ１００に供給する。これにより、リモコン２０１を、例えば、ＰＣ１００のマウスとして動作させることができる。
【００３２】
音声入／出力部２８０は、音声入力端子２８１を介して接続されるマイクロフォン２０２および音声出力端子２８２を介して接続されるスピーカ２０３の動作を制御する。
【００３３】
ネットワークインタフェース部２９０は、ネットワーク接続端子２９１を介して接続されるネットワーク４００によるデータ通信を制御する。
【００３４】
プロジェクタ２００は、画像処理部２２０および投写部２３０による通常の画像投写動作に加えて、プレゼン記録部２４２、プレゼン再生部２４４、および、プレゼン配信部２４６によって、以下で説明するように、プレゼン記録動作、プレゼン再生動作、および、プレゼン配信動作を実行することができる。
【００３５】
Ｃ．プレゼン記録動作：
プロジェクタ２００において実行されるプレゼン記録動作について図３および図４を用いて説明する。図３は、プレゼン記録動作が実行される場合のプロジェクタ２００を機能的に示したブロック図である。また、図４は、プレゼン記録動作の手順を示す説明図である。
【００３６】
プレゼンタがリモコン２０１を用いて、ＰＣ１００の図示しない外部記憶装置に格納されているプレゼンテーション用の実行ファイルを選択して実行すると、この実行ファイルに対応するプレゼンテーション用のアプリケーション・プログラムが起動する。このとき、ＰＣ１００の表示画面にはアプリケーション・プログラムの起動に応じた画像の表示が開始されるとともに、表示画像の画像データがプロジェクタ２００の画像処理部２２０に供給される。画像処理部２２０は、入力された画像データを投写部２３０に入力可能な形式の画像データに変換して投写部２３０に供給する。投写部２３０は供給された画像データの表す画像を投写する。
【００３７】
また、プロジェクタ２００では、プレゼン記録部２４２によってプレゼン記録動作が開始される。なお、プレゼン記録部２４２は、図３に示すように、画像取得部２４２ｂ、音声取得部２４２ｃ、プレゼン・データ生成部２４２ｄ、および、これらの各機能ブロックを制御することによりプレゼン記録動作の全体を制御するプレゼン記録制御部２４２ａを有している。
【００３８】
プレゼン記録動作を開始すると、プレゼン記録制御部２４２ａは、プレゼンタによるプレゼンテーションの開始の指示を待ち受ける（ステップＳ１１０）。
【００３９】
ステップＳ１１０において、プレゼンタがリモコン２０１を用いて、プレゼンテーションの開始を指示するとともに最初のプレゼン画像の表示を指示すると、プレゼン記録制御部２４２ａは、入／出力インタフェース部２７０を介して、ＰＣ１００に対して実行ファイルに含まれている最初のプレゼン画像の表示を指示し（ステップＳ１２０）、音声取得部２４２ｃに対して音声取得の開始を指示する（ステップＳ１３０）。
【００４０】
ステップＳ１２０において、ＰＣ１００に対して最初のプレゼン画像の表示が指示されると、これに対応するプレゼン画像データがＰＣ１００から画像処理部２２０に供給され、投写部２３０によって最初のプレゼン画像が投写される。
【００４１】
また、ステップＳ１３０において、音声取得部２４２ｃに対して音声取得の開始が指示されると、音声取得部２４２ｃは、音声入／出力部２８０を制御して、マイクロフォン２０２で検知される音声に対応する音声データ（プレゼン音声データ）を取得する。このプレゼン音声データの取得は、音声取得の終了が指示されるまで続けられる。そして、取得したプレゼン音声データは、ＲＡＭ２５０に確保された音声データバッファ２５４に一旦格納される。
【００４２】
そして、プレゼン記録制御部２４２ａは、プレゼンタによる次のプレゼン画像の表示の指示を待ち受ける(ステップＳ１４０)。
【００４３】
ステップＳ１４０において、プレゼンタがリモコン２０１を用いて、次の画像の表示を指示した場合、プレゼン記録制御部２４２ａは、音声取得部２４２ｃに対して音声取得の終了を指示し（ステップＳ１５０）、画像取得部２４２ｂに対して投写しているプレゼン画像の取得を指示する（ステップＳ１６０）。
【００４４】
ステップＳ１５０において、音声取得部２４２ｃに対して音声取得の終了が指示されると、音声取得部２４２ｃは音声入／出力部の動作を停止し、プレゼン音声データの取得を終了する。
【００４５】
ステップＳ１６０において、画像取得部２４２ｂに対して投写しているプレゼン画像の取得が指示されると、画像取得部２４２ｂは画像処理部２２０から対応するプレゼン画像データを取得する。取得したプレゼン画像データは、ＲＡＭ２５０に確保された画像データバッファ２５２に一旦格納される。
【００４６】
そして、プレゼン記録制御部２４２ａは、プレゼン・データ生成部２４２ｄに対してプレゼン・データの生成を指示する（ステップＳ１７０）。このとき、プレゼン・データ生成部２４２ｄは、プレゼン・データとして、画像データバッファ２５２に格納されている最初のプレゼン画像データを含むプレゼン画像データ・ファイル２６３（１）と、音声データバッファ２５４に格納されている最初のプレゼン音声データを含むプレゼン音声データ・ファイル２６４（１）とを生成し、プレゼン・データ記憶部２６０に記憶する。また、プレゼン・データ生成部２４２ｄは、プレゼン・データとして、最初のプレゼン画像データ・ファイル２６３（１）のファイル名（ここでは、「Ｐｃ１．ｊｐｇ」とする。）と、最初のプレゼン音声データ・ファイル２６４（１）のファイル名（ここでは、「Ｓｎｄ１．ｍｐ３」とする。）とをテーブルの形式で関連付けて記述した関連付けデータ２６２を生成し、プレゼン・データ記憶部２６０に記憶する。なお、本例では、プレゼン画像データ・ファイルとしてＪＰＥＧ形式の画像データ・ファイルが生成され、プレゼン音声データ・ファイルとしてＭＰ３形式の音声データ・ファイルが生成されることとする。
【００４７】
なお、プレゼン・データ記憶部２６０としては、例えば、フラッシュメモリが利用される。ただし、これに限定されるものではなく、書き換え可能な不揮発性メモリや不揮発性の外部記憶装置など種々の記憶装置を利用可能である。また、プレゼン画像データ・ファイルと、プレゼン音声データ・ファイルと、関連付けデータとは、必ずしも同一の記憶装置に記憶される必要はなく、それぞれ異なった記憶装置に記憶するようにしてもよい。
【００４８】
プレゼン・データ生成部２４２ｄによるプレゼン・データの生成が終了すると、プレゼン記録制御部２４２ａは、プレゼン記録動作を終了するか否か判断する（ステップＳ１８０）。実行ファイル中に次のプレゼン画像がない場合には、プレゼン記録部２４２によるプレゼン記録動作を終了する。一方、次のプレゼン画像がある場合には、ステップＳ１２０に戻って、ＰＣ１００に対して次のプレゼン画像の表示を指示し、同様に、ステップＳ１２０〜ステップＳ１７０の処理を実行する。これにより、プレゼン・データ記憶部２６０には、プレゼン・データとして、２番目のプレゼン画像データ・ファイル２６３（２）および２番目のプレゼン音声データ・ファイル２６４（２）が記憶される。また、関連付けデータ２６２には、２番目のプレゼン画像データ・ファイル２６３（２）のファイル名（ここでは、「Ｐｃ２．ｊｐｇ」とする。）と、２番目のプレゼン音声データ・ファイル２６４（２）のファイル名（ここでは、「Ｓｎｄ２．ｍｐ３」とする。）とがテーブルの形式で関連付けて追加記述される。
【００４９】
以上のように、プレゼンタがリモコン２０１を用いて、プレゼン画像の表示を順に指示することにより、順に表示したプレゼン画像ごとに、プレゼン画像データ・ファイルおよびプレゼン音声データ・ファイルを生成して、プレゼン・データとしてプレゼン・データ記憶部２６０に記憶することができる。また、順に記憶したプレゼン画像データ・ファイルのファイル名とこれに対応するプレゼン音声データ・ファイルのファイル名とを、テーブルの形式で順に関連付けて記述した関連付けデータ２６２が、プレゼン・データとしてプレゼン・データ記憶部２６０に記憶することができる。これにより実施例のプロジェクタ２００では、ＰＣ１００で実行された実行ファイルに含まれていたプレゼン画像ごとに、そのプレゼン画像データを含むプレゼン画像データ・ファイルと、このプレゼン画像データ・ファイルに対応するプレゼン音声データ・ファイルとを、関連付けデータによって関連付されたプレゼン・データとして保存することができる。
【００５０】
なお、上記プレゼン記録動作では、プレゼンタがリモコン２０１を用いて行うプレゼン画像の表示の指示に従って、プレゼン画像を順に表示する場合を例に説明しているが、これに限定されるものではない。例えば、ＰＣ１００から自動的に画像データの供給が実行されるようにしてもよい。このような場合には、プレゼン記録制御部２４２ａがＰＣ１００から供給される画像データの変化を検出し、検出結果に基づいてステップＳ１３０における音声取得開始の指示やステップＳ１５０における音声取得終了の指示を行うようにすればよい。
【００５１】
Ｄ．プレゼン再生動作：
プロジェクタ２００において実行されるプレゼン再生動作について図５および図６を用いて説明する。図５は、プレゼン再生動作が実行される場合のプロジェクタ２００を機能的に示したブロック図である。また、図６は、プレゼン再生動作の手順を示す説明図である。
【００５２】
プレゼンタがリモコン２０１を用いて、プレゼンテーションの再生を指示すると、プロジェクタ２００では、プレゼン再生部２４４によってプレゼン再生動作が開示される。なお、プレゼン再生部２４４は、図５に示すように、画像再生部２４４ｂ、音声再生部２４４ｃ、プレゼン・データ展開部２４４ｄ、および、これらの各機能ブロックを制御することによりプレゼン再生動作の全体を制御するプレゼン再生制御部２４４ａを有している。
【００５３】
プレゼン再生動作を開始すると、プレゼン再生制御部２４４ａは、プレゼンタによるプレゼンテーションの再生開始の指示を待ち受ける（ステップＳ２１０）。
【００５４】
ステップＳ２１０において、プレゼンタがリモコン２０１を用いて、プレゼンテーションの再生開始を指示するとともに最初のプレゼン画像の再生表示を指示すると、プレゼン再生制御部２４４ａは、プレゼン・データ展開部２４４ｄに対して、最初のプレゼン画像に対応するプレゼン画像データおよびプレゼン音声データの展開を指示する（ステップＳ２２０）。
【００５５】
プレゼン・データ展開部２４４ｄは、プレゼン・データ記憶部２６０に記憶されている関連付けデータ２６２の中から最初のプレゼン画像に対応するプレゼン画像データ・ファイルのファイル名（ここでは、「Ｐｃ１．ｊｐｇ」である。）およびプレゼン音声データ・ファイルのファイル名（ここでは、「Ｓｎｄ１．ｍｐ３」である。）を求める。そして、求めたファイル名のプレゼン画像データ・ファイルに含まれているプレゼン画像データを画像データバッファ２５２に展開するとともに、プレゼン音声データ・ファイルに含まれているプレゼン音声データを音声データバッファ２５４に展開する。
【００５６】
次に、プレゼン再生制御部２４４ａは、画像再生部２４４ｂに対して最初のプレゼン画像の再生表示を指示する(ステップＳ２３０)。画像再生部２４４ｂは、画像データバッファ２５２に展開されたプレゼン画像データを読み出して画像処理部２２０に供給する。これにより、画像処理部２２０に供給された最初のプレゼン画像データの表すプレゼン画像が、投写部２３０によって投写される。
【００５７】
プレゼン画像の投写が開始されると、プレゼン再生制御部２４４ａは、音声再生部２４４ｃに対して最初のプレゼン音声の再生出力を指示する(ステップＳ２４０)。音声再生部２４４ｃは、音声データバッファ２５４に展開されたプレゼン音声データを読み出して音声入／出力部２８０に供給する。音声入／出力部２８０は、供給されたプレゼン音声データの表すプレゼン音声をスピーカ２０３から出力することにより再生する。
【００５８】
そして、プレゼン再生制御部２４４ａは、プレゼンタによる次のプレゼン画像の再生表示の指示を待ち受ける（ステップＳ２５０）。
【００５９】
ステップＳ２５０において、プレゼンタがリモコン２０１を用いて、次のプレゼン画像の再生表示を指示した場合、プレゼン再生制御部２４４ａは、音声再生部２４４ｃに対して音声再生の終了を指示する（ステップＳ２６０）。音声再生部２４４ｃは、音声入／出力部の動作を停止し、プレゼン音声の再生を終了する。
【００６０】
音声再生部２４４ｃによるプレゼン音声の再生が終了すると、プレゼン再生制御部２４４ａは、プレゼン再生動作を終了するか否か判断する（ステップＳ２７０）。関連付けデータ２６２中に次のプレゼン画像がない場合には、プレゼン再生部２４４によるプレゼン再生動作を終了する。一方、次のプレゼン画像がある場合には、ステップＳ２２０に戻って、同様に、ステップＳ２２０〜ステップＳ２４０の処理を実行する。これにより、２番目のプレゼン画像に対応するプレゼン画像データ・ファイルのファイル名（ここでは、「Ｐｃ２．ｊｐｇ」である。）およびプレゼン音声データ・ファイルのファイル名（ここでは、「Ｓｎｄ２．ｍｐ３」である。）が求められる。そして、求められたプレゼン画像データ・ファイルに含まれているプレゼン画像データの表すプレゼン画像が投写されるとともに、求められたプレゼン音声データ・ファイルに含まれているプレゼン音声データの表すプレゼン音声が再生される。
【００６１】
以上のように、プレゼンタがリモコン２０１を用いて、プレゼン画像の再生表示を順に指示することにより、順にプレゼン画像を再生表示するとともに、これに対応するプレゼン音声を再生することができる。これにより、プレゼン・データとして保存されたプレゼン画像データの表す画像を再生表示し、これに対応するプレゼン音声データの表すプレゼン音声を再生出力することにより、いつでもプレゼンテーションの内容の確認を行うことができる。
【００６２】
なお、上記プレゼン再生動作では、プレゼン・データとして保存されたプレゼン画像データ・ファイルおよびこれに対応するプレゼン音声データ・ファイルの全てを順に再生する場合を例に説明しているが、これに限定されるものではない。例えば、プレゼンタがリモコン２０１を用いて特定のプレゼン画像データ・ファイルの表すプレゼン画像を指定すると、プレゼン・データ展開部２４４ｄは指定したプレゼン画像データ・ファイルおよびこれに対応するプレゼン音声データ・ファイルを展開し、展開したプレゼン画像データおよびプレゼン音声データを画像再生部２４４ｂおよび音声再生部２４４ｃが再生するようにしてもよい。このようにすれば、希望するプレゼンテーションの内容を再生する場合において、保存されたプレゼン資料の全てを最初から順に再生する必要がないので、非常に便利である。
【００６３】
Ｅ．プレゼン配信動作：
プロジェクタ２００において実行されるプレゼン配信動作について図７および図８を用いて説明する。図７は、プレゼン配信動作が実行される場合のプロジェクタ２００を機能的に示したブロック図である。図８は、プレゼン配信動作の手順を示す説明図である。
【００６４】
プロジェクタ２００では、プレゼン配信部２４６はサーバとして機能し、ネットワークインタフェース部２９０を制御して、プレゼン・データ記憶部２６０に保存されたプレゼン・データを配信することが可能である。
【００６５】
プレゼンテーションの参加者（聴衆）は、ネットワーク４００を介してプロジェクタ２００に接続されているＰＣ（ここでは、ＰＣ３０１とする。）からプロジェクタ２００のプレゼン配信部２４６にアクセスすることができる。例えば、プレゼンテーションの参加者にのみ与えられた識別番号やパスワードを用いることにより、サーバとしてのプレゼン配信部２４６に対してアクセスし、プレゼン配信部２４６に対して、プレゼン・データの全部あるいは一部の配信を要求することができる。
【００６６】
プレゼン配信部２４６では、常時プレゼン配信動作が実行されており、ネットワーク４００を介して供給されるプレゼン・データの配信要求を待ち受けしている（ステップＳ３１０）。
【００６７】
ステップＳ３１０において、プレゼン配信部２４６は、プレゼン・データの配信要求を受け取ると、プレゼン・データ記憶部２６０に記憶されているプレゼン・データの中から、配信要求に対応するプレゼン画像データ・ファイルと、プレゼン音声データ・ファイルと、関連付けデータと、をまとめて、１つの配信データ・ファイルを生成する（ステップＳ３２０）。
【００６８】
そして、プレゼン配信部２４６は、生成した配信データ・ファイルを、ネットワーク４００を介してネットワークインタフェース部２９０から配信要求元（ここでは、ＰＣ３０１である。）に対して配信する（ステップＳ３３０）。
【００６９】
以上のようにして、配信要求のあったＰＣ３０１に対して配信データ・ファイルを配信することができる。なお、ＰＣ３０１からプロジェクタ２００への配信要求やプロジェクタ２００からＰＣ３０１へのデータ配信は、ＨＴＴＰプロトコルやＦＴＰプロトコル等のネットワークを介して実行される通信において一般的に利用される種々のプロトコルに従って実行される。
【００７０】
配信データ・ファイルを受け取ったＰＣ３０１では、配信データ・ファイルに含まれているプレゼン画像データ・ファイルおよびプレゼン音声データ・ファイルを、実行可能なアプリケーション・プログラムに従って実行することにより、プレゼン画像データ・ファイルに含まれているプレゼン画像データの表すプレゼン画像をＰＣ３０１の表示画面に表示するとともに、対応するプレゼン音声データ・ファイルに含まれているプレゼン音声データの表すプレゼン音声を再生することができる。
【００７１】
以上のように、実施例のプロジェクタ２００では、プレゼン記録部２４２によって記録されたプレゼンテーションについてのプレゼン画像データ・ファイル及びこれに対応するプレゼン音声データ・ファイル、ならびに、プレゼン画像データ・ファイルとプレゼン音声データ・ファイルとの関連付けを記述した関連付けデータを配信データ・ファイルとしてネットワーク４００を介して配信することができる。
【００７２】
Ｆ．効果：
以上説明したように、上記実施例のプロジェクタ２００を用いてプレゼンテーションを実施すれば、プレゼンテーションにおいて順に投写するプレゼン画像ごとに、そのプレゼン画像およびこのプレゼン画像に対応するプレゼン音声を表すプレゼン画像データ・ファイルおよびプレゼン音声データ・ファイルデータを関連付けてプレゼン・データとして保存することができる。これにより、特定のプレゼン画像に関するプレゼン・データのみを利用することが容易に可能である。
【００７３】
また、保存したプレゼン・データに含まれているプレゼン画像データ・ファイルの表すプレゼン画像を順に再生表示することにより、再生表示されたプレゼン画像に対応するプレゼン音声を再生出力することができる。これにより、いつでもプレゼンテーションの内容の確認を行うことができる。また、上述したように、プレゼン画像ごとに、プレゼン画像データ・ファイルとこれに対応するプレゼン音声データ・ファイルが関連付けられてプレゼン・データとして保存されているので、特定のプレゼン画像を指定して、指定した特定のプレゼン画像のみを再生表示するとともに、これに対応するプレゼン音声のみを再生出力することが容易である。
【００７４】
また、保存したプレゼン・データをプレゼンテーションの資料としてネットワーク４００を介して供給される配信要求に応じて配信することができる。これより、例えば、プレゼンテーションの参加者がプレゼンテーションの一部を聞き逃したため、もう一度その部分を再生してみたい場合に、プロジェクタ２００からネットワーク４００を介してプレゼン・データをプレゼンテーションの資料として配信してもらうことにより、聞き逃した部分を再生して聞きなおすことが可能となる。また、プレゼンテーションの資料として配信してもらったプレゼン・データを再生することにより、いつでもプレゼンテーションの内容の確認を行うことが可能となる。
【００７５】
なお、本発明は上記した実施例や実施形態に限られるものではなく、その要旨を逸脱しない範囲において種々の態様にて実施することが可能である。
【図面の簡単な説明】
【００７６】
【図１】本発明の一実施例としてのプロジェクタを用いたプレゼンテーション・システムの概要を示す構成図である。
【図２】図１のプロジェクタ２００の概略構成を示すブロック図である。
【図３】プレゼン記録動作が実行される場合のプロジェクタ２００を機能的に示したブロック図である。
【図４】プレゼン記録動作の手順を示す説明図である。
【図５】プレゼン再生動作が実行される場合のプロジェクタ２００を機能的に示したブロック図である。
【図６】プレゼン再生動作の手順を示す説明図である。
【図７】プレゼン配信動作が実行される場合のプロジェクタ２００を機能的に示したブロック図である。
【図８】プレゼン配信動作の手順を示す説明図である。
【符号の説明】
【００７７】
１０...プレゼンテーション・システム
１００...ＰＣ
２００...プロジェクタ
２０１...リモートコントローラ（リモコン）
ＳＣ...投写画面
３０１...ＰＣ
３０２...ＰＣ
３０ｎ...ＰＣ
４００...ネットワーク
２６０...プレゼン・データ記憶部
２９０...ネットワークインタフェース部
２１０...ＣＰＵ
２１８...バス
２２０...画像処理部
２２１...画像入力端子
２３０...投写部
２４０...ＲＯＭ
２４２...プレゼン記録部
２４２ａ...プレゼン記録制御部
２４２ｂ...画像取得部
２４２ｃ...音声取得部
２４２ｄ...プレゼン・データ生成部
２４４...プレゼン再生部
２４４ａ...プレゼン再生制御部
２４４ｂ...画像再生部
２４４ｃ...音声再生部
２４４ｄ...プレゼン・データ展開部
２４６...プレゼン配信部
２５０...ＲＡＭ
２５４...音声データバッファ
２５２...画像データバッファ
２６０...プレゼン・データ記憶部
２７０...入／出力インタフェース部
２７１...出力制御端子
２７２...受信部
２８０...音声入／出力部
２８１...音声入力端子
２８２...音声出力端子
２０２...マイクロフォン
２０３...スピーカ
２９０...ネットワークインタフェース部
２９１...ネットワーク接続端子
【図１】
2005284196.tif 000003
【図２】
2005284196.tif 000004
【図３】
2005284196.tif 000005
【図４】
2005284196.tif 000006
【図５】
2005284196.tif 000007
【図６】
2005284196.tif 000008
【図７】
2005284196.tif 000009
【図８】
2005284196.tif 000010